(57)【特許請求の範囲】
【請求項１】
遊技機の背面から見て前後方向に形成される一対の球通路と、該一対の球通路を通過する球をそれぞれ検出する検出孔を片側寄りに有する一対の検出器と、該一対の検出器を装着する装着部と、を備え、
前記装着部は、前記一対の検出器のうち奥側の検出器を当該検出器の配線接続部を奥側とし前記検出孔を手前側にして収納装着する奥側収納部分と、前記一対の検出器のうち手前側の検出器を当該検出器の前記検出孔を奥側とし前記配線接続部を手前側にして収納装着する差込側収納部分と、を連通状に有する収納部によって構成され、
前記収納部は、前記奥側収納部分の奥側端が閉塞部によって塞がれる一方、前記差込側収納部分の手前側端部には前記一対の検出器が順次に差し込み可能な差込口が形成されると共に、該差込口の近傍に前記差込側収納部分に収納される検出器の後端縁に弾性的に係合する係止片を設け、
前記収納部の片側には、前記奥側収納部分に位置する検出器から延出される配線が前記閉塞部から前記差込口側に向けて挿通可能な配線空間部が設けられ、
前記収納部の前記差込口から前記一対の検出器が順次差し込まれて収納装着されたときに、前記奥側収納部分に収納装着された検出器と前記差込側収納部分に収納装着された検出器とが前記検出孔同士が対向した状態で収納され、前記奥側収納部分に収納装着された検出器の配線が前記配線空間部を通って前記差込口から外側に引き出されると共に前記差込側収納部分に収納装着された検出器の配線が前記配線空間部を通ることなく外側に引き出されることを特徴とする遊技機。
【請求項２】
請求項１に記載の遊技機であって、
該遊技機背面の機構板に球払出装置ユニットが着脱可能に装着され、
前記球払出装置ユニットに、前記一対の球通路が設けられると共に、前記一対の球通路の下方部にモータの駆動により正逆方向に回転可能な回転体が配置され、さらに該回転体の外周面の片側に複列の賞球用通路が、反対側に複列の貸球用通路がそれぞれ形成され、
前記複列の賞球用通路に対し、前記装着部として、賞球用検出器をそれぞれ収納して装着する奥側収納部分と差込側収納部分とを連通状に有する前記収納部としての第１の収納部が設けられ、
前記複列の貸球用通路に対し、前記装着部として、貸球用検出器をそれぞれ収納して装着する奥側収納部分と差込側収納部分とを連通状に有する前記収納部としての第２の収納部が、前記第１の収納部と並列状に設けられ、
前記第１の収納部の片側に形成される賞球用配線空間と前記第２の収納部の片側に形成される貸球用配線空間とが隣接した状態で設けられていることを特徴とする遊技機。
【請求項３】
請求項１又は２に記載の遊技機であって、
前記収納部の前記差込口の近傍には、当該差込口を覆う覆い部材が着脱可能に装着されていることを特徴とする遊技機。
【発明の詳細な説明】
【０００１】
【発明の属する技術分野】
この発明は、球（パチンコ球）を使用して遊技を行う遊技機、例えば、弾球遊技機（主としてパチンコ機）と呼ばれている遊技機や、球を使用してスロットマシン遊技のような遊技を行う遊技機に関する。
【０００２】
【従来の技術】
球（パチンコ球）を使用して遊技を行う遊技機においては、球通路の所定位置に対し、その球通路を通過する球を検出するための検出器を装着する装着部が形成されている。また、球通路は、複列状をなして設けられ場合があり、この場合には、各球通路を通過する球をそれぞれ個別に検出するための複数の検出器を装着する装着部が設けられる。また、球通路として、賞球に対応する賞球用通路と、貸球に対応する貸球用通路とがそれぞれ設けられる場合がある。この場合には、賞球用通路を通過する球を検出するための賞球用検出器を装着する装着部と、貸球用通路を通過する球を検出するための貸球用検出器を装着する装着部とがそれぞれ設けられる。
【０００３】
【発明が解決しようとする課題】
ところで、球通路に対応する検出器の装着部に対し、複数の検出器がそれぞれ個別に装着されると、これら検出器の数に略比例して、検出器の不正な取り外しや、あるいは検出器の接続線に対する不正な細工等が行われる不正行為の可能性が増大されるという問題点がある。この発明の目的は、前記問題点に鑑み、検出器に対する不正行為を防止することができる遊技機を提供することである。
【０００４】
【課題を解決するための手段】
前記目的を達成するために、第１の発明に係る遊技機は、請求項１に記載のとおりの構成を要旨とするもので、遊技機の背面から見て前後方向に形成される一対の球通路と、該一対の球通路を通過する球をそれぞれ検出する検出孔を片側寄りに有する一対の検出器と、該一対の検出器を装着する装着部と、を備える。前記装着部は、前記一対の検出器のうち奥側の検出器を当該検出器の配線接続部を奥側とし前記検出孔を手前側にして収納装着する奥側収納部分と、前記一対の検出器のうち手前側の検出器を当該検出器の前記検出孔を奥側とし前記配線接続部を手前側にして収納装着する差込側収納部分と、を連通状に有する収納部によって構成される。前記収納部は、前記奥側収納部分の奥側端が閉塞部によって塞がれる一方、前記差込側収納部分の手前側端部には前記一対の検出器が順次に差し込み可能な差込口が形成されると共に、該差込口の近傍に前記差込側収納部分に収納される検出器の後端縁に弾性的に係合する係止片を設けられている。したがって、収納部の差込口から奥側収納部分の閉塞部に向けて複数の検出器を順次に差し込むことで、複数の検出器が収納部にそれぞれ収納された状態で装着される。このように複数の検出器が収納部にそれぞれ収納されることで、収納部の差込側収納部分の検出器が取り外されない限り、奥側収納部分の検出器が取り外し不能となる。また、前記収納部の片側には、前記奥側収納部分に位置する検出器から延出される配線が前記閉塞部から前記差込口側に向けて挿通可能な配線空間部が設けられ、前記収納部の前記差込口から前記一対の検出器が順次差し込まれて収納装着されたときに、前記奥側収納部分に収納装着された検出器と前記差込側収納部分に収納装着された検出器とが前記検出孔同士が対向した状態で収納され、前記奥側収納部分に収納装着された検出器の配線が前記配線空間部を通って前記差込口から外側に引き出されると共に前記差込側収納部分に収納装着された検出器の配線が前記配線空間部を通ることなく外側に引き出される。したがって、収納部の奥側収納部分に位置する検出器の接続線が配線空間部を通して差込口側に向けて容易に挿通される。このようにして、収納部の奥側収納部分に位置する検出器の接続線が配線空間部を通して差込口側に向けて容易に挿通されることで、収納部の奥側収納部分に位置する検出器の接続線に対する不正な細工等を防止することができる。
【０００５】
また、第２の発明に係る遊技機は、請求項２に記載のとおりの構成を要旨とするもので、該遊技機背面の機構板に球払出装置ユニットが着脱可能に装着され、前記球払出装置ユニットに、前記一対の球通路が設けられると共に、前記一対の球通路の下方部にモータの駆動により正逆方向に回転可能な回転体が配置され、さらに該回転体の外周面の片側に複列の賞球用通路が、反対側に複列の貸球用通路がそれぞれ形成される。前記複列の賞球用通路に対し、前記装着部として、賞球用検出器をそれぞれ収納して装着する奥側収納部分と差込側収納部分とを連通状に有する前記収納部としての第１の収納部が設けられる。前記複列の貸球用通路に対し、前記装着部として、貸球用検出器をそれぞれ収納して装着する奥側収納部分と差込側収納部分とを連通状に有する前記収納部としての第２の収納部が、前記第１の収納部と並列状に設けられ。したがって、第１の収納部の差込口から奥側収納部分の閉塞部に向けて複数の賞球用検出器を順次に差し込むことで、複数の賞球用検出器が第１の収納部にそれぞれ収納された状態で装着される。また、第２の収納部の差込口から奥側収納部分の閉塞部に向けて複数の貸球用検出器を順次に差し込むことで、複数の貸球用検出器が第２の収納部にそれぞれ収納された状態で装着される。このように複数の賞球用検出器と、複数の貸球用検出器が第１、第２の収納部にそれぞれ収納されることで、第１、第２の収納部の差込側収納部分の賞球用検出器あるいは貸球用検出器が取り外されない限り、奥側収納部分の賞球用検出器あるいは貸球用検出器が取り外し不能となる。このため、複数の賞球用検出器あるいは貸球用検出器に対する不正行為の防止を図ることが可能となる。
【０００６】
【０００７】
また、第３の発明に係る遊技機は、請求項３に記載のとおりの構成を要旨とするもので、収納部の差込口の近傍には、その差込口を覆う覆い部材が着脱可能に装着されている。したがって、覆い部材が取り外されない限り、収納部の差込口に対する検出器の取り外しができない構造とすることができる。このため、収納部から検出器が不正に取り外される不具合を確実に防止することができる。
【０００８】
【発明の実施の形態】
この発明の実施の形態を図面にしたがって説明する。球を使用して遊技を行う遊技機（例えばパチンコ機）を後方から表した図１において、遊技機１は、外枠２と、その外枠２の前側にヒンジ機能によって開閉可能に装着され方形枠状の前枠３とを主体として構成されている。前枠３の前側には、周知のようにガラス板を有する開閉扉、球Ｂ（パチンコ球）が貯留可能な上皿、下皿、球発射用のハンドル装置等が配設されている。前枠３の後面には、その枠開口部の周縁部において遊技盤装着枠が固定状態で組み付けられ、その遊技盤装着枠の枠内には遊技盤（図示しない）が着脱可能に嵌込まれ、その遊技盤の後面の周囲が機構板１０（裏セット板、裏機構板等とも呼ばれる）によって押されられた状態で固定されている。なお、遊技盤の前面の遊技領域には、各種入賞装置、役物装置、図柄表示装置、ゲート口等が適宜に配設されている。
【０００９】
機構板１０の後面の上部には、球Ｂが貯留される球タンク１１と、その球タンク１１の一端寄りの下部に接続されるタンクレール１２とがそれぞれ装着されている。タンクレール１２は、その一側から他側（図１に向かって左側から右側）に向けて球Ｂが前後２列に整列されながら流れる傾斜状の球送り通路１３が形成され、その球送り通路１３の下傾端を球送出部としている。機構板１０の後面の片側（図１に向かって右側）には、タンクレール１２の球送出部に隣接してユニット装着部が設けられ、そのユニット装着部には球払出装置３０を構成する１つのユニット状の球払出装置ユニット３１が着脱可能に装着されている。
【００１０】
また、機構板１０の後側には、球払出装置ユニット３１の賞球用通路７２並びに貸球用通路７３の下流端を合流してこれら賞球用通路７２及び貸球用通路７３から払い出された球Ｂを所定位置まで導く前後２列の本体側払出通路１４が形成されている。また、本体側払出通路１４の下流部には球Ｂを上皿に導く上皿用球通路１６が設けられている。また、上皿用球通路１６には上皿用球溜部１７が形成され、その上皿用球溜部１７の一側には、上皿の球Ｂが満杯になったときに上皿用球溜部１７の球Ｂを下皿に導く下皿用球通路１９が形成されている。また、機構板１０の後側には、球タンク１１及びタンクレール１２の球Ｂを球払出装置ユニット３１の一部に設けられた排出通路５０を介して機外に排出するための本体側排出通路２１が形成されている。
【００１１】
図２〜図５に示すように、球払出装置ユニット３１は、ユニットケース３２と、そのユニットケース３２に組み付けられる通路切換部材５２、可動案内部材６０、回転体８２、払出用モータ８０、各種検出器等を備えている。ユニットケース３２は、合成樹脂の射出成形等によってそれぞれ形成されかつネジ等によって分離可能に結合された第１通路構成部材３３、第２通路構成部材３４及び第３通路構成部材３５の３部品を主体として構成されている。図２と図５に示すように、ユニットケース３２内には、前後２列でかつ縦通路状をなす球通路４０と、その球通路４０の下端部に連通する供給口４６とがそれぞれ区画形成されている。
【００１２】
また、この実施の形態において、図５に示すように、ユニットケース３２内には、前後２列の球通路４０の片側にそれぞれ隣接して排出通路５０が区画形成されている。この排出通路５０と球通路４０との上部境界部には、通路切換部材５２が操作ロック部材５５によって第１位置と第２位置とに配置切換可能に配設されている。そして、図５に示すように、操作ロック部材５５によって通路切換部材５２が第１位置に配置されてロックされたときには、タンクレール１２の球送出部から送られる球Ｂが排出通路５０に流れることなく球通路４０にのみ流れるようになっている。また、図６に示すように、操作ロック部材５５が上方に操作されてロック解除されたときには、タンクレール１２の球送出部から球通路４０の上部に向けて流れる球Ｂの流圧を受けて通路切換部材５２が軸５３を中心として回動し、第２位置に配置切り換えされる。これによって、球通路４０の上部に向けて流れる球Ｂが排出通路５０に流れるようになっている。なお、操作ロック部材５５はバネ５８によって下方のロック位置に向けて弾発されており、その下端部には、通路切換部材５２の所定位置に形成された係合部５４と係脱可能に係合して通路切換部材５２を第１位置と第２位置とに択一的にロックするロック部５６が形成されている。
【００１３】
図５に示すように、ユニットケース３２内の下部には、供給口４６に連通する回転体配設部が形成され、その回転体配設部には、球Ｂを受けて払い出すスプロケット状の回転体８２が正逆方向に回転可能に配設されている。そして、ユニットケース３２内の下部には、回転体８２の外周面の片側（図５に向かって左側）に賞球用通路７２が反対側に貸球用通路７３がそれぞれ前後２列に区画形成されている。
【００１４】
すなわち、図２と図５に示すように、第１通路構成部材３３と第２通路構成部材３４との間には、第１通路構成部材３３の基板部と第２通路構成部材３４の基板部によって前側の球通路４０、前側の供給口４６、前側の賞球用通路７２、前側の貸球用通路７３及び前側の排出通路５０の各前・後壁がそれぞれ形成されている。さらに、第１通路構成部材３３の基板部によって回転体配設部の前側壁が形成されるとともに、第２通路構成部材３４には、回転体８２が貫挿される孔が形成されている。また、第１通路構成部材３３の基板部と第２通路構成部材３４の基板部とのうち、少なくとも一方には、前側の球通路４０と前側の排出通路５０とを隣接して区画形成する通路壁４１、４２、５１がそれぞれ形成されるとともに、前側の賞球用通路７２、前側の貸球用通路７３の外側壁４８がそれぞれ形成されている。さらに、第１通路構成部材３３の基板部と第２通路構成部材３４の基板部とのうち、少なくとも一方には、回転体８２の下方に隣接して前側の賞球用通路７２と前側の貸球用通路７３とを区画する分岐壁５９が形成されている。
【００１５】
また、第２通路構成部材３４と第３通路構成部材３５との間においても、略同様にして、第２通路構成部材３４の基板部と第３通路構成部材３５の基板部によって後側の球通路４０、後側の供給口４６、後側の賞球用通路７２、後側の貸球用通路７３及び後側の排出通路５０の各前・後壁がそれぞれ形成されるとともに、第３通路構成部材３５の基板部によって回転体配設部の後側壁４８、４９が形成されている。また、第２通路構成部材３４の基板部と第３通路構成部材３５の基板部とのうち、少なくとも一方には、後側の球通路４０と後側の排出通路５０とを隣接して区画形成する通路壁４１、４２、５１がそれぞれ形成されるとともに、後側の賞球用通路７２、後側の貸球用通路７３の外側壁が形成されている。さらに、第２通路構成部材３４の基板部と第３通路構成部材３５の基板部とのうち、少なくとも一方には、回転体８２の下方に隣接して後側の賞球用通路７２と後側の貸球用通路７３とを区画する分岐壁５９が形成されている。
【００１６】
図５〜図８に示すように、前後２列の縦通路状をなす球通路４０は、その上端部（上流端）の補充口が、ユニットケース３２の上端部側方に開口するとともに、タンクレール１２の前後２列の球送り通路１３の下傾端の球送出部に臨んで連通されている。また、前後２列の球通路４０の下端部（下流端）は、供給口４６を介して回転体８２に臨んでいる。また、球通路４０は、上部から下部に向けて上通路部４３、幅広通路部４４及び絞り通路部４５を順次連通して有する。また、上通路部４３、幅広通路部４４及び絞り通路部４５に球Ｂが相互に接した状態でかつこれら各球Ｂが両通路壁４１、４２のいずれか一方の内壁面に接した状態で略ジグザグ状をなして一列状に配列されるようになっている。
【００１７】
この実施の形態において、上通路部４３は、側方（横方向）に開口する補充口から下方に向けて屈曲された逆Ｌ字状をなし、その上通路部４３の通路幅Ｗ１は、球Ｂの直径寸法よりも１．２倍程度に大きく形成されている。上通路部４３の下部に連続して形成された幅広通路部４４はその略中央部が最大の通路幅Ｗ２を有しかつ直線に近い略湾曲状に形成され、その中央部の通路幅Ｗ２が最大で球Ｂの直径寸法よりも１．８倍程度（この実施の形態では１．５倍前後）だけ大きく形成されている。そして、幅広通路部４４の上部の通路幅は、上通路部４３の下部との間に段差が生じることがないように球Ｂの直径寸法よりも１．２倍程度に大きく形成されている。また、幅広通路部４４の下部の通路幅は、絞り通路部４５の上部との間の段差が生じることがないように球Ｂの直径寸法よりも１．３倍程度に大きく形成されている。
【００１８】
また、幅広通路部４４の下部に連続して形成された絞り通路部４５は、幅広通路部４４の横方向の変位量と略同じ程度の横方向の変位量の範囲において略Ｓ字状に屈曲された形状に形成されてるとともに上部から下部に向けてしだいに通路幅が縮小されている。そして、絞り通路部４５の上部の通路幅は、幅広通路部４４の下部との間に段差が生じることがないように球Ｂの直径寸法よりも１．３倍程度に大きく形成されている。また、絞り通路部４５の下部は略鉛直状をなしかつその下端開口部の通路幅Ｗ３は球Ｂの直径寸法よりも１．０５倍程度で僅かに大きく形成されている。
【００１９】
図５と図８に示すように、前後２列の絞り通路部４５の下端開口部の直下に隣接してそれぞれ設けられた前後２列の供給口４６のそれぞれの両側部には、回転体８２に向けて球Ｂを案内する球案内位置と、回転体８２の外周面からから遠ざかる退避位置とに変位可能な前後各一対の可動案内部材６０がそれぞれ装着されている。この実施の形態において、図８に示すように、前後各一対の可動案内部材６０は、その一端部寄りにおいて軸６１を中心としてそれぞれ個別に回動可能に、第１、第２通路構成部材３３、３４の基板部の所定位置にそれぞれ取り付けられている。そして、一対の可動案内部材６０の他端側（相対する先端側）には、球Ｂの直径寸法よりも１．０５倍程度で僅かに大きい間隔寸法Ｗ４を隔てて対向し球Ｂを回転体８２に向けて案内するための案内部６２が形成されている。また、一対の可動案内部材６０の案内部６２は、軸６１と略同一中心をなす円弧面に形成されている。
【００２０】
また、図８に示すように、前後各一対の可動案内部材６０は、その所定位置に形成されたストッパ部６４と、第１、第２通路構成部材３３、３４の基板部の所定位置にそれぞれ形成された規制孔６５によってその回動範囲（回動角度）が規制されている。すなわち、前後各一対の可動案内部材６０は、規制孔６５の一側縁にストッパ部６４が当接する球案内位置と、規制孔６５の他側縁にストッパ部６４が当接する退避位置との範囲において軸６１を中心としてそれぞれ回動可能となっている。また、前後各一対の可動案内部材６０は、弾性体６６の弾発力によって球案内位置に配置保持され、所定値以上の荷重が作用したときには、弾性体６６を弾性変形させながら前記退避位置に向けて変位するように構成されている。
【００２１】
この実施の形態において、一対の可動案内部材６０の所定位置には、その各ストッパ部６４の近傍においてバネ掛け部がそれぞれ形成され、これら両バネ掛け部に跨ってコイルスプリングよりなる弾性体６６の両端部が掛け止めされて張設されている。そして、一対の可動案内部材６０は、共通の弾性体６６の弾発力をそれぞれ受けて球案内位置に配置保持される一方、一対の可動案内部材６０のうち、片側の可動案内部材６０に対してのみ所定値以上の荷重が作用したときでも、その片側の可動案内部材６０のみが弾性体６６の弾発力に抗して、退避位置に向けて変位するように構成されている。また、一対の可動案内部材６０の下側面には、球Ｂを押し下げる押下面６３が略湾曲状に形成されている。
【００２２】
図２、図８及び図１１に示すように、前後２列の供給口４６の直下に位置する回転体配設部には、各供給口４６の球Ｂを受けて払い出す前後２列のスプロケット部８３、８７を有する回転体８２が正逆方向に回転可能に配設されている。そして、回転体８２の一方向（図８に向かって反時計回り方向）の回転動作によって遊技盤の各種入賞口に入ったときの賞球数に対応する数の球Ｂを払い出すとともに、反対方向の回転動作によって、貸球機（図示しない）から送られる貸球数に対応する数の球Ｂを払い出すようになっている。すなわち、図２と図１１に示すように、回転体８２には、前側の供給口４６に対応するスプロケット部８３と、後側の供給口４６に対応するスプロケット部８７とを同一中心線上に一体状に備えている。また、前側のスプロケット部８３の前端面中心部には、第１通路構成部材３３の基板部の所定位置に設けられたボス部に装着された軸９５が挿通され、後側のスプロケット部８７の後端面中心部に突設された連結部には、払出用モータ８０の出力軸８１がトルク伝達可能に嵌挿される連結孔が形成されている。そして、回転体８２は払出用モータ８０を駆動源として正逆方向に回転駆動されるようになっている。
【００２３】
また、この実施の形態において、図１１に示すように、前側のスプロケット部８３の外周には、複数（例えば３個）の凹円弧の球受部８４が所定の間隔（例えば、３個の場合１２０度間隔）を保って凹設されている。そして、各球受部８４は、その両肩部のうち、一方を第１払出部８５とし、他方を第２払出部８６としている。また、後側のスプロケット部８７の外周には、前側のスプロケット部８３の球受部８４に対し半ピッチ分（例えば、３個の場合６０度）だけそれぞれ位相して複数（例えば３個）の凹円弧の球受部８８が凹設され、各球受部８８の両肩部のうち、一方を第１払出部８９とし、他方を第２払出部９０としている。
【００２４】
また、この実施の形態において、図２に示すように、払出用モータ８０の出力軸８１の外周には、被検出部材１００がトルク伝達可能に取り付けられており、この被検出部材１００の外周面に形成されたリング部１０１には、前後２列の両スプロケット部８３の球受け部８４、８８の合計の数に対応する数（例えば６個）のスリットあるいは孔等よりなる被検出部がそれぞれ設けられ、これら被検出部を検出する払出数検出器１０５が第３通路構成部材３５の基板部の後側部に装着されている。そして、賞球、あるいは貸球の払出個数に対応して被検出部材１００の被検出部が払出数検出器１０５によって検出されるようになっている。
【００２５】
また、払出用モータ８０は、ユニットケース３２の後側に着脱可能に設置されたモータ用保護ケース１１０内に収納された状態でそのユニットケース３２に固定されている。そして、払出用モータ８０は遊技機１の所定位置に配設された主制御基板または枠制御基板（共に図示しない）から送られる賞球払出信号に基づいて回転制御されるとともに、遊技機１の片側に設置された貸球機（図示しない）から送られる貸球払出信号に基づいて回転制御されるようになっている。また、この実施の形態において、図２と図４に示すように、第３通路構成部材３５の後面の略下半部の四周縁に突設された台枠部に保護ケース１１０が装着されている。この保護ケース１１０は、払出用モータ８０がビス等によって固定されるベース部１１１と、そのベース部１１１に開閉可能に装着されたカバー体１２０とを備えている。
【００２６】
また、ベース部１１１は、アルミ、銅、ステンレス、鉄等の吸熱並びに放熱性に優れた金属板よりなり、払出用モータ８０を固定する取付板部１１２と、その取付板部１１２の両側部から後方に向けて略直角状に折り曲げられて形成された側板部１１３とを備えている。そして、ベース部１１１は、その取付板部１１２の所定位置において、ビス等によってユニットケース３２の後側に着脱可能に取り付けられ、その取付板部１１２の後面の取付面に払出用モータ８０がビス等によって固定されている。なお、払出用モータ８０の出力軸８１は、取付板部１１２を貫通して回転体８２の後側のスプロケット部８７の連結部にトルク伝達可能に嵌挿されるようになっている（図２参照）。
【００２７】
図２と図８に示すように、前後２列の賞球用通路７２（この発明の球通路に相当する）の所定位置には、これら賞球用通路７２に払い出された球Ｂをそれぞれ個別に検出する前後２つの賞球用検出器７５（この発明の複数の検出器に相当する）を収納して装着する第１の収納部２３１（この発明の収納部に相当する）が設けられている。また、この実施の形態において、球通路としての前後２列の貸球用通路７３の所定位置には、これら貸球用通路７３に払い出された球Ｂをそれぞれ個別に検出する前後２つの貸球用検出器７６を前後方向に収納して装着可能な第２の収納部２３５が前記第１の収納部２３１と並列状に設けられている。
【００２８】
この実施の形態において、図２と図８に示すように、ユニットケース３２（この発明の検出器装着部材に相当する）の第１通路構成部材３３、第２通路構成部材３４、及び第３通路構成部材３５にわたって第１の収納部２３１と第２の収納部２３５とがそれぞれ形成されている。また、ユニットケース３２の第１通路構成部材３３、第２通路構成部材３４、及び第３通路構成部材３５には、第１の収納部２３１と第２の収納部２３５とを区画する中間仕切壁１４０が形成されている（図８参照）。また、図１２と図１３に示すように、第１の収納部２３１は、前後２つの賞球用検出器７５をそれぞれ収納可能な奥側収納部分２３２と差込側収納部分２３３とをそれぞれ連通状に備え、第２の収納部２３５は、前後２つの貸球用検出器７６をそれぞれ収納可能な奥側収納部分２３６と差込側収納部分２３７とをそれぞれ連通状に備えている。
【００２９】
また、図１２と図１３に示すように、第１、第２の収納部２３１、２３５の奥側収納部分２３２、２３６は、第１通路構成部材３３と第２通路構成部材３４との間にわたってそれぞれ形成されるとともに、その奥側端部が第１通路構成部材３３の前側面から略袋状をなしかつ前方に向けて突出されている。そして、第１、第２の収納部２３１、２３５の奥側収納部分２３２、２３６は、その奥側端（前端突出部）が閉塞部１４１、１４５によってそれぞれ塞がれている。また、第１、第２の収納部２３１、２３５の差込側収納部分２３３、２３７は、第２通路構成部材３４と第３通路構成部材３５との間にわたって形成されている。そして、差込側収納部分２３３、２３７の差込側収納部分に相当する後端部には、前後２つの賞球用検出器７５並びに前後２つの貸球用検出器７６がそれぞれ順次に差し込み可能な差込口１４２、１４６が第３通路構成部材３５の後方に開口してそれぞれ形成されている（図１３参照）。
【００３０】
また、この実施の形態において、第１、第２の収納部２３１、２３５の差込口１４２、１４６は、ユニットケース３２の後側、すなわち第３通路構成部材３５の後側に突設された台枠部の枠内に位置するとともに、その台枠部に着脱可能に設置されたモータ用保護ケース１１０のベース部１１１（この発明の覆い部材に相当する）によって覆われている（図２参照）。これによって、第３通路構成部材３５の後側に対しモータ用保護ケース１１０（ベース部１１１）が取り外された状態で、第１、第２の収納部２３１、２３５の差込口１４２、１４６に対し前後２つの賞球用検出器７５並びに前後２つの貸球用検出器７６の差し込みや取り外しが行われるようになっている。また、図１２と図１３に示すように、第３通路構成部材３５には、第１、第２の収納部２３１、２３５の差込側収納部分２３３、２３７に収納された賞球用検出器７５並びに貸球用検出器７６の後端縁に弾性的に係合可能な弾性係止片１６０、１６１が、第１、第２の収納部２３１、２３５の差込口１４２、１４６の近傍から後方に向けてそれぞれ一体状に突出されている。
【００３１】
また、図８と図１３に示すように、第１、第２の収納部２３１、２３５の一部には、これら第１、第２の収納部２３１、２３５の奥側収納部分２３２、２３６に収納された賞球用検出器７５並びに貸球用検出器７６からそれぞれ延出された接続線７７、７８がそれぞれの差込口１４２、１４６側に向けて挿通可能な配線空間部１５０、１５１がそれぞれ設けられている。この実施の形態において、第１の収納部２３１にそれぞれ収納された前後２つの賞球用検出器７５と中間仕切壁１４０との間、及び第２の収納部２３５にそれぞれ収納された前後２つの貸球用検出器７６と中間仕切壁１４０との間に配線空間部１５０、１５１がそれぞれ形成されている。そして、第１、第２の収納部２３１、２３５の奥側収納部分２３２、２３６に収納された賞球用検出器７５並びに貸球用検出器７６からそれぞれ延出された接続線７７、７８が配線空間部１５０、１５１を通して差込口１４２、１４６の近傍まで挿通される。そして各接続線７７、７８の端末部（例えば端末コネクタ）は、パチンコ機の所定位置に配置された中継基板の接続部に接続される。
【００３２】
また、第１、第２の収納部２３１、２３５の差込側収納部分２３３、２３７に収納された賞球用検出器７５並びに貸球用検出器７６からそれぞれ延出された接続線７７、７８においても同様にして中継基板の接続部に接続される。また、賞球用検出器７５並びに貸球用検出器７６と中継基板との距離を短くして、接続線７７、７８に対する不正行為を防止するため、中継基板をユニットケース３２の所定位置に配置することが望ましい。また、中継基板はパチンコ機の所定位置に設置された主制御基板と枠制御基板にそれぞれ電気的に接続される。
【００３３】
また、第１、第２の収納部２３１、２３５にそれぞれ収納された前後２つの賞球用検出器７５及び貸球用検出器７６は、球Ｂが通過することでその球を検出する検出孔を片側寄りに有する周知の近接スイッチによって構成されている（図１４参照）。また、前後２つの賞球用検出器７５による球Ｂの検出信号は、主制御基板と枠制御基板にそれぞれ送られ、前後２つの貸球用検出器７６による球Ｂの検出信号は、球貸機と枠制御基板にそれぞれ送られるようになっている。そして、賞球数あるいは貸球数に対応する数の球Ｂに対し、賞球用検出器７５あるいは貸球用検出器７６において検出される検出個数が不足している場合（例えば、球タンク１１、タンクレール１２等において球Ｂの供給不良が発生したとき球Ｂの払い出し個数に不足が生じる）、その不足に相当する信号が払出用モータ８０に送られ、これによって、回転体８２が不足数に対応する分だけ回転し、所要とする数の球Ｂが不足なく正確に払い出されるようになっている。また、賞球用通路７２と貸球用通路７３とはその各下流に連通して設けられた本体側払出通路１４において合流する（図１参照）。
【００３４】
また、この実施の形態において、図６に示すように、ユニットケース３２内には、前後２列の球通路４０の球Ｂの有無を検出するための検出器１３０が設けられている。この検出器１３０は、板バネ状の作動板１３１を有し、その作動板１３１が検出保護片１３５によって保護された状態で前後２列の球通路４０に臨んでいる。すなわち、前後２列の球通路４０の通路壁４１の上部には切り欠き状の開口孔が形成され、その開口孔に臨んで検出保護片１３５がその上部の軸１３６を支点として揺動可能に組み付けられている。そして、球通路４０の上部に球Ｂがあるときにはその球Ｂの荷重を受けて検出保護片１３５が通路壁４１の内壁面と略同一面をなす後退位置に配置され、これによって作動板１３１が後退されることで球Ｂの存在が検出される。また、球通路４０の上部に球Ｂが存在しないときには、作動板１３１が球通路４０内に向けて変位し、これによって球通路４０の上部に球Ｂが存在しないことが検出されるようになっている。その際、作動板１３１の変位によって検出保護片１３５が軸１３６を中心として球通路４０内に向けて突出する。
【００３５】
この実施の形態に係る遊技機１は上述したように構成される。したがって、遊技に先だって、あるいは、遊技の際において、球タンク１１からタンクレール１２の前後２列の球送り通路１３を経て、その球送出部から送られる球Ｂは、前後２列の球通路４０の補充口からその球通路４０の上通路部４３、幅広通路部４４及び絞り通路部４５を順に流れ、絞り通路部４５下端の供給口４６を経て回転体８２の前後２列のスプロケット部８３、８７上にそれぞれ流れる。そして、前後２列のスプロケット部８３、８７において、例えば、前側のスプロケット部８３の外周面と、後側のスプロケット部８７の球受部８８上に球Ｂがそれぞれ供給される（図８参照）。
【００３６】
ここで、遊技機１の前側の所定位置に配設された球貸しスイッチ（図示しない）が作動されると、その信号が枠制御基板に送られる。また、前記球貸しスイッチの作動に基づく信号が遊技機１の片側に設置された貸球機（図示しない）に送られ、その貸球機から発せられる貸球数に対応する数の信号が枠制御基板に送られる。これに基づいて枠制御基板から発せられる払出信号によって払出用モータ８０が回転制御される。すると、払出用モータ８０によって、回転体８２が一方向（例えば、図９に向かって時計回り方向）にかつ貸球数に対応する回転数あるいは回転角度だけ回転する。回転体８２の所定方向の回転によって、その前後２列のスプロケット部８３、８７の各球受部８４、８８に球Ｂが順次に受けられ、引き続いて球受部８４、８８の回転方向後側の第１払出部８５、８９に押されかつ球Ｂの自重も加わって前後２列の貸球用通路７３にそれぞれ払い出される。前後２列の貸球用通路７３にそれぞれ払い出された球Ｂは、前後２列の本体側払出通路１４にそれぞれ流れた後、前後２列の本体側払出通路１４を経て上皿用球通路１６に流れ上皿に払い出される。
【００３７】
また、遊技の際、遊技盤１１の遊技領域に発射された球Ｂが入賞口に流入し検出器によって検出されると、その信号が主制御基板に送られる。そして、主制御基板から発せられる賞球数に対応する数の信号が枠制御基板に送られ、これに基づいて枠制御基板から発せられる払出信号によって払出用モータ８０が回転制御される。すると、払出用モータ８０によって、回転体８２が反対方向（図９に向かって反時計回り方向）にかつ賞球数に対応する回転角度だけ回転する。回転体８２の反対方向の回転によって、その前後２列のスプロケット部８３、８７の各球受部８４、８８に球Ｂが順次に受けられ、引き続いて球受部８４、８８の回転方向後側の第２払出部８６、９０に押されかつ球Ｂの自重も加わって前後２列の賞球用通路７２にそれぞれ払い出される。前後２列の賞球用通路７２に払い出された球Ｂは、前後２列の本体側払出通路１４を経て上皿用球通路１６に流れ上皿６に払い出される。
【００３８】
さて、球通路としての前後２列の賞球用通路７２の所定位置には、これら賞球用通路７２に払い出された球Ｂをそれぞれ個別に検出する前後２つの賞球用検出器７５を前後方向に収納して装着可能な収納部としての第１の収納部２３１が設けられている。この第１の収納部２３１は、奥側収納部分２３２と差込側収納部分２３３とを備え、奥側収納部分２３２の奥側端が閉塞部１４１によって塞がれる一方、差込側収納部分２３３には前後２つの賞球用検出器７５が順次に差し込み可能な差込口１４２が形成されている。したがって、第１の収納部２３１の差込口１４２から奥側の閉塞部１４１に向けて前後２つの賞球用検出器７５を順次に差し込むことで、前後２つの賞球用検出器７５が第１の収納部２３１にそれぞれ収納された状態で装着される。このように前後２つの賞球用検出器７５が第１の収納部２３１にそれぞれ収納されることで、第１の収納部２３１の差込側収納部分２３３の賞球用検出器７５が取り外されない限り、奥側収納部分２３２の賞球用検出器７５が取り外し不能となる。このため、前後２つの賞球用検出器７５、特に奥側の賞球用検出器７５に対する不正行為を良好に防止することができる。
【００３９】
この実施の形態において、前後２列の賞球用通路７２と前後２列の貸球用通路７３の所定位置には、これら賞球用通路７２と貸球用通路７３に払い出された球Ｂをそれぞれ個別に検出する前後２つの賞球用検出器７５並びに前後２つの貸球用検出器７６を前後方向に収納して装着可能な第１の収納部２３１と第２の収納部２３５とが並列状に設けられている。したがって、複数の賞球用検出器７５と、複数の貸球用検出器７６とが第１、第２の収納部２３１、２３５にそれぞれ収納されて装着されることで、第１、第２の収納部２３１、２３５の差込側収納部分２３３、２３７の賞球用検出器７５並びに貸球用検出器７６が取り外されない限り、奥側収納部分２３２、２３６の賞球用検出器７５並びに貸球用検出器７６が取り外し不能となる。このため、前後２つの賞球用検出器７５並びに貸球用検出器７６に対する不正行為の防止を図ることが可能となる。
【００４０】
また、この実施の形態において、第１、第２の収納部２３１、２３５の差込口１４２、１４６は、ユニットケース３２の後側、すなわち第３通路構成部材３５の後側に突設された台枠部の枠内に位置するとともに、その台枠部に着脱可能に設置されたモータ用保護ケース１１０のベース部１１１（この発明の覆い部材に相当する）によって覆われている。これによって、第３通路構成部材３５の後側に対しモータ用保護ケース１１０（ベース部１１１）が取り外されない限り、第１、第２の収納部２３１、２３５の差込口１４２、１４６に対する前後２つの賞球用検出器７５並びに前後２つの貸球用検出器７６の取り外しができない構造とすることができる。このため、第１、第２の収納部２３１、２３５に対し、賞球用検出器７５や貸球用検出器７６が不正に取り外される不具合を確実に防止することができる。
【００４１】
また、この実施の形態において、第１、第２の収納部２３１、２３５の差込口１４２、１４６の近傍の弾性係止片１６０、１６１が、第１、第２の収納部２３１、２３５の差込側収納部分２３３、２３７に収納された賞球用検出器７５並びに貸球用検出器７６の後端縁にそれぞれ弾性的に係合することによって、第１、第２の収納部２３１、２３５内に前後２つの賞球用検出器７５並びに前後２つの貸球用検出器７６をそれぞれ容易に装着することができる。また、この実施の形態において、第１、第２の収納部２３１、２３５の片側には、これら第１、第２の収納部２３１、２３５の奥側収納部分２３２、２３６に収納された賞球用検出器７５並びに貸球用検出器７６からそれぞれ延出された接続線７７、７８がそれぞれの差込口１４２、１４６側に向けて挿通可能な配線空間部１５０、１５１がそれぞれ設けられている。したがって、第１、第２の収納部２３１、２３５の奥側収納部分２３２、２３６に収納された賞球用検出器７５並びに貸球用検出器７６の接続線７７、７８が配線空間部１５０、１５１を通して差込口１４２、１４６側に向けて容易に挿通される。さらに、第１、第２の収納部２３１、２３５の奥側収納部分２３２、２３６に収納された賞球用検出器７５並びに貸球用検出器７６の接続線７７、７８に対する不正な細工等を防止することができる。
【００４２】
なお、この発明は前記実施の形態に限定するものではない。例えば、前記実施の形態においては、球払出装置３０（一つのユニット化された球払出装置ユニット３１）に設けられた前後２列の賞球用通路７２並びに貸球用通路７３に対し、これら各通路を流れる球をそれぞれ個別に検出するための前後２つの賞球用検出器７５並びに貸球用検出器７６を収納して装着する第１の収納部２３１と第２の収納部２３５とが並列状に設けられる場合を例示したが、少なくとも片側２列の球通路に対して、これら通路を流れる球を検出する２つの検出器を収納して装着する収納部を設ける場合においても実施可能である。また、球通路と、その球通路を通過する球を検出するための検出器と、その検出器を装着するための装着部とを備え、その装着部が、複数の検出器を収納して装着する奥側収納部分と差込側収納部分とを連通状に有する収納部によって構成されるものとしては、球払出装置の他、遊技盤に装着される各種の役物装置、入賞装置、集合樋装置等がある。また、球通路は、２列以上の複列をなし、これら複列の球通路に対しこれと同数の検出器を設けてもよい。
【００４３】
【発明の効果】
以上述べたように、この発明によれば、収納部の差込側収納部分の検出器が取り外されない限り、奥側収納部分の検出器が取り外し不能となるため、検出器に対する不正行為を防止することができる。
【図面の簡単な説明】
【図１】  この発明の実施の形態に係る遊技機としてのパチンコ機を一部破断して示す背面図である。
【図２】  同じく球払出装置ユニットを示す縦断面図である。
【図３】  同じく球払出装置ユニットを示す背面図である。
【図４】  同じく球払出装置ユニットを示す正面図である。
【図５】  同じく球払出装置ユニットの第１通路構成部材（又は第２通路構成部材）を示す正面図である。
【図６】  同じく球払出装置ユニットの第１通路構成部材（又は第２通路構成部材）の上部を拡大して示す正面図である。
【図７】  同じく球払出装置ユニットの第１通路構成部材（又は第２通路構成部材）の中間部を拡大して示す正面図である。
【図８】  同じく球払出装置ユニットの第１通路構成部材（又は第２通路構成部材）の下部に一対の可動案内部材と回転体が配設された状態を拡大して示す正面図である。
【図９】  同じく球通路から供給口に供給された球が回転体の回転によって賞球用通路に払い出される状態を示す説明図である。
【図１０】  同じく可動案内部材が退避位置に向けて変位される状態を示す説明図である。
【図１１】  同じく回転体を拡大して示す正面図である。
【図１２】  同じく球払出装置ユニットの前後２列の賞球用通路並びに貸球用通路に対する前後２つの賞球用検出器並びに貸球用検出器が第１の収納部並びに第２の収納部にそれぞれ収納されて装着された状態を拡大して示す断面図である。
【図１３】  同じく図１２のＸＩＩＩーＸＩＩＩ線に基づく平面図である。
【図１４】  同じく検出器としての賞球用検出器あるいは貸球用検出器を示す斜視図である。
【符号の説明】
１ 遊技機
１０ 機構板
３０ 球払出装置
３１ 球払出装置ユニット
３２ ユニットケース
３３ 第１通路構成部材
３４ 第２通路構成部材
３５ 第３通路構成部材
７２ 賞球用通路（球通路）
７３ 貸球用通路（球通路）
７５ 賞球用検出器（検出器）
７６ 貸球用検出器（検出器）
１４１、１４５ 閉塞部
１４２、１４６ 差込口
２３１ 第１の収納部（収納部）
２３２ 奥側収納部分
２３３ 差込側収納部分
２３５ 第２の収納部（収納部）
２３６ 奥側収納部分
２３７ 差込側収納部分
【図１】
0004300551.tif 000002
【図２】
0004300551.tif 000003
【図３】
0004300551.tif 000004
【図４】
0004300551.tif 000005
【図５】
0004300551.tif 000006
【図６】
0004300551.tif 000007
【図７】
0004300551.tif 000008
【図８】
0004300551.tif 000009
【図９】
0004300551.tif 000010
【図１０】
0004300551.tif 000011
【図１１】
0004300551.tif 000012
【図１２】
0004300551.tif 000013
【図１３】
0004300551.tif 000014
【図１４】
0004300551.tif 000015